(57)【要約】      （修正有）【課題】他人の歌唱について歌唱評価を行うユーザに対して、他の歌唱評価に対する自己の歌唱評価の関係を把握させる歌唱評価装置を提供する。【解決手段】歌唱評価装置は、カラオケ装置で再生された楽曲の歌唱について、タッチパネルモニタ１１に評価対象となった楽曲の楽曲関連情報として、楽曲・歌手名１０５ａ、ユーザ関連情報１０５ｂが表示され、通信手段を介して取得した当該楽曲の歌唱に対応する他の評価情報を表示する入力評価表示欄１０９と、楽曲情報内の歌唱旋律と、ユーザの歌唱音声から抽出した音程との比較などにより算出された評価を表示する機械評価表示欄１１４を設け、機械評価情報と入力評価情報の差に基づく表示メッセージ１１５を表示する。【選択図】図１２
2016157010.tif 000002
【特許請求の範囲】
【請求項１】
カラオケ装置で再生された楽曲の歌唱について、入力評価情報を入力させる入力処理と、
前記入力処理で入力された前記入力評価情報と、通信手段を介して取得した当該楽曲の歌唱に対応する他の評価情報とを比較する比較処理と、
前記比較処理での比較結果に基づくメッセージを通知する通知処理と、を実行することを特徴とする
歌唱評価装置。
【請求項２】
前記比較処理において、前記入力評価情報に対応する評価値と前記他の評価情報に対応する評価値が、所定の関係を外れる場合、前記入力評価情報を再入力させる再入力処理を実行することを特徴とする
請求項１に記載の歌唱評価装置。
【請求項３】
前記入力処理において、当該楽曲の歌唱について、前記通信手段を介して取得した前記他の評価情報は報知しないことを特徴とする
請求項１または請求項２に記載の歌唱評価装置。
【請求項４】
前記他の評価情報は、前記カラオケ装置で実行された歌唱評価処理にて得られた情報であることを特徴とする
請求項１から請求項３の何れか１項に記載の歌唱評価装置。
【請求項５】
前記他の評価情報は、他のユーザが入力した入力評価情報であることを特徴とする
請求項１から請求項４の何れか１項に記載の歌唱評価装置。
【請求項６】
カラオケ装置で再生された楽曲の歌唱について、入力評価情報を入力させる入力処理と、
前記入力処理で入力された入力評価情報と、通信手段を介して取得した当該楽曲の歌唱に対応する他の評価情報とを比較する比較処理と、
前記比較処理での比較結果に基づくメッセージを通知する通知処理と、を情報処理装置に実行させることを特徴とする
歌唱評価用プログラム。
【発明の詳細な説明】
【技術分野】
【０００１】
本発明は、歌唱の巧拙を評価する歌唱評価装置及び歌唱評価用プログラムに関する。
【背景技術】
【０００２】
従来、カラオケ装置では、歌唱者が発する歌唱音声情報の音高を模範音高と比較することで、採点する採点処理を可能とするものが知られている。このような採点処理では、歌唱終了後に得点をユーザに提示することで、歌唱の巧拙を把握することが可能である。歌唱評価では、このようなカラオケ装置の採点処理のような機械判定以外に、その場に集うユーザが評価する形態がある。
【０００３】
特許文献１には、カラオケの終了後、カラオケで同席した者で互いの歌唱を評価し合い、評価し合った結果に基づき歌唱評価データを使用して、次回、カラオケを行う際のお勧め曲として提示することが開示されている。
【先行技術文献】
【特許文献】
【０００４】
【特許文献１】特開２０１１−５９４４９号公報
【発明の概要】
【発明が解決しようとする課題】
【０００５】
ところで、カラオケを行うユーザは、歌唱のプロではない場合も多く、特許文献１に開示されるようなユーザ自身で歌唱の評価を行う場合、自身で行った歌唱評価に対して、不安が残る場
合がある。例えば、あるユーザの歌唱について、複数人で歌唱評価を行った場合、一人だけ大きく異なってしまった場合には、恥ずかしい思いをすることも考えられる。従前、自身で行った歌唱評価が、他の歌唱評価とどの程度異なるのか、あるいは、どういう位置づけであるのか、把握する手段はなかった。
【課題を解決するための手段】
【０００６】
本発明は、このような課題に基づくものであって、そのため、本発明に係る歌唱評価装置は以下の構成を採用するものである。
カラオケ装置で再生された楽曲の歌唱について、入力評価情報を入力させる入力処理と、
前記入力処理で入力された前記入力評価情報と、通信手段を介して取得した当該楽曲の歌唱に対応する他の評価情報とを比較する比較処理と、
前記比較処理での比較結果に基づくメッセージを通知する通知処理と、を実行することを特徴とする。
【０００７】
さらに本発明に係る歌唱評価装置は、
前記比較処理において、前記入力評価情報に対応する評価値と前記他の評価情報に対応する評価値が、所定の関係を外れる場合、前記入力評価情報を再入力させる再入力処理を実行することを特徴とする。
【０００８】
さらに本発明に係る歌唱評価装置は、
前記入力処理において、当該楽曲の歌唱について、前記通信手段を介して取得した前記他の評価情報は報知しないことを特徴とする。
【０００９】
さらに本発明に係る歌唱評価装置において、
前記他の評価情報は、前記カラオケ装置で実行された歌唱評価処理にて得られた情報であることを特徴とする。
【００１０】
さらに本発明に係る歌唱評価装置において、
前記他の評価情報は、他のユーザが入力した入力評価情報であることを特徴とする。
【００１１】
さらに本発明に係る歌唱評価要プログラムは、
カラオケ装置で再生された楽曲の歌唱について、入力評価情報を入力させる入力処理と、
前記入力処理で入力された入力評価情報と、通信手段を介して取得した当該楽曲の歌唱に対応する他の評価情報とを比較する比較処理と、
前記比較処理での比較結果に基づくメッセージを通知する通知処理と、を情報処理装置に実行させることを特徴とする。
【発明の効果】
【００１２】
本発明に係る歌唱評価装置、または、歌唱評価用プログラムによれば、ある楽曲の歌唱について自己が入力した評価情報と、他の評価情報を比較して、比較に基づくメッセージを報知することで、他の歌唱評価に対する自己の歌唱評価の関係を把握することが可能となる。
【００１３】
さらに本発明に係る歌唱評価装置、または、歌唱評価用プログラムによれば、自己が入力した評価情報に対応する評価値と、他の評価情報に対応する評価値の関係が所定の関係を外れる場合、評価情報を再入力させることしている。例えば、自己が入力した評価情報が、他の評価情報と大きく異なる場合には、評価情報を再入力させることで、前に入力した評価情報を修正し、他の評価情報に近づけることも可能となる。
【００１４】
さらに本発明に係る歌唱評価装置、または、歌唱評価用プログラムによれば、入力処理において、他の評価情報は報知しないことにより、他の評価情報を把握させることなく、自己の評価情報を入力させることが可能となる。入力前に他の評価情報を把握した場合、他の評価情報に合わせて入力することが考えられる。他の評価情報を報知しないことで、自己の判断により評価情報を入力することが可能となる。さらに、比較に基づくメッセージの報知を行うことで、歌唱評価の入力に遊技性を持たせることが可能となる。
【００１５】
さらに本発明に係る歌唱評価装置、または、歌唱評価用プログラムによれば、他の評価情報は、カラオケ装置で実行された歌唱評価処理で得られた情報としている。カラオケ装置（機械）で実行された歌唱評価処理で得られた評価情報は、ある意味、標準的な評価情報ということもできる。自己の入力した評価情報について、この歌唱評価処理で得られた標準的な評価情報と比較したメッセージを報知することで、自己の入力した評価情報がどのような位置づけ（辛い評価、あるいは、甘い評価など）を把握することが可能となる。
【００１６】
さらに本発明に係る歌唱評価装置、または、歌唱評価用プログラムによれば、他の評価情報は、他のユーザが入力した評価情報としている。このような構成によれば、同じ歌唱評価を行うユーザ間において、自己の入力した評価情報がどのような位置づけを把握することが可能となる。
【図面の簡単な説明】
【００１７】
【図１】本実施形態のカラオケシステムを示す図
【図２】本実施形態のトップ画面を示す図
【図３】本実施形態のユーザ情報のデータ構成を示す図
【図４】本実施形態のユーザ情報の送受信を説明する図
【図５】本実施形態の楽曲確認画面を示す図
【図６】本実施形態の楽曲再生処理を示すフロー図
【図７】本実施形態の評価入力処理を示すフロー図
【図８】本実施形態の楽曲確認処理を示すフロー図
【図９】本実施形態の評価楽曲選択画面を示す図
【図１０】本実施形態の評価入力画面を示す図
【図１１】本実施形態の評価再入力画面を示す図
【図１２】本実施形態の評価完了画面を示す図
【図１３】本実施形態のメッセージテーブルを示す図
【図１４】本実施形態の評価完了楽曲選択画面を示す図
【図１５】本実施形態の評価完了楽曲確認画面を示す図
【発明を実施するための形態】
【００１８】
図１は、本実施形態のカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント６１を利用してネットワークを形成するように接続されている。
【００１９】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２０】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２１】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３にて楽曲を選択することで、直接カラオケ装置２に予約をさせるなど、カラオケ装置２に対する各種操作を行うことが可能である。
【００２２】
さらに、カラオケ装置２は、各構成を統括して制御するためのＣＰＵ３０、各種プログラムを実行するにあたって必要となる情報を一時記憶するためのメモリ２７を備えて構成される。
【００２３】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２４】
楽曲演奏処理は、楽曲情報に含まれる演奏情報に基づき、音響制御部２５に演奏を実行させる処理である。音響制御部２５にて演奏された楽曲は、マイクロホン４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２５】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２６】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２７】
また、リモコン装置１は、無線ＬＡＮ通信部１６によって、アクセスポイント６１と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２８】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００２９】
図２は、本実施形態のトップ画面、すなわち、リモコン装置１を起動した直後の画面を示す図である。本実施形態では、リモコン装置１の表示部１１ａに表示を行うことで、リモコン装置１を操作するユーザに対して各種情報が提供される。
【００３０】
本実施形態のカラオケシステムは、各リモコン装置１のタッチパネルモニタ１１から認証情報（後述するユーザＩＤやパスワード）を入力することで、ログインすることが可能となっている。特に、本実施形態のカラオケシステムでは、複数のユーザをログインさせることを可能としており、ログインしたユーザ（ログインユーザ）に関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３１】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００３２】
図３は、ユーザ毎にホスト装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、ホスト装置５の記憶部５１において記憶管理されている。ユーザ情報には、ユーザがログインするための認証情報（ユーザＩＤとパスワード）が含まれている。個人情報には、ユーザ名（実際の名前に限ったものでなく、ニックネームであってもよい）、性別、年齢、うた年齢、メールアドレスなどを含んで構成される。これら各種情報は、リモコン装置１、あるいは、インターネットなどのネットワークに接続された図示しないパーソナルコンピュータ、携帯情報端末などを使用し、ログインして設定することも可能である。
【００３３】
マイうたテーブルは、ユーザによって登録された楽曲を記憶するテーブルであって、楽曲識別情報、音程調整値、過去の評価情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３４】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３５】
履歴テーブルは、ユーザが過去に演奏した楽曲に関する各種情報を記録した情報であって、本実施形態では、過去に当該ユーザが予約することで演奏された楽曲について、楽曲の楽曲識別情報、演奏された日時を示す歌唱日時、評価情報などを含んで構成されている。評価情報は、演奏時に行われた歌唱評価に関する情報であって、本実施形態では、カラオケ装置２における歌唱評価と、同席したユーザによる歌唱評価に関する情報を含んでいる。機械評価情報は、カラオケ装置２で行われた歌唱評価（採点）であって、楽曲情報内の歌唱旋律と、ユーザの歌唱音声から抽出した音程との比較などにより算出された評価値である。また、入力評価情報は、歌唱時に同席していたユーザによる歌唱評価であって、入力された評価値によって構成されている。なお、入力評価情報には、歌唱評価を行ったユーザのユーザＩＤを付随させてもよい。複数のユーザにより歌唱評価が行われた場合、入力評価情報もその人数分となる。
【００３６】
図４は、このユーザ情報の送受信の様子を示した図である。カラオケ店舗に来店したユーザは、自己のユーザＩＤ（ユーザ識別情報）とパスワードで構成された認証情報を入力、あるいは、リモコン装置１などに設けられたＩＣカードリーダでＩＣカードに記憶されている認証情報を読み取らせることで認証処理（Ｓ１０１）を実行する。カラオケ装置２あるいはリモコン装置１は、認証情報をホスト装置５に送信し（Ｓ１０２）、認証情報を受信したホスト装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３７】
ユーザ情報を受信したカラオケ装置２側では（Ｓ１０３）、受信したユーザ情報に基づいて、楽曲予約処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００３８】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。図２で説明したユーザインターフェイスを用いることで、サービスを提供するユーザ（以下、「アクティブユーザ」という）を切り替えて使用することが可能となっている。
【００３９】
図５には、ログインしたユーザが楽曲を予約する際に表示される楽曲確認画面が示されている。このようにユーザがログインした状態では、ログインユーザ欄１０３にログインした各ユーザの分身像１０３が表示される。またログインユーザ欄１０３中、右端に背景がハイライト（白色）で示されるユーザは、アクティブユーザ（この例では、Ａさん）であって、図に示す状態では、このアクティブユーザに対するサービス、すなわち、アクティブユーザのユーザ情報を利用したサービスが実行されている状態となっている。
【００４０】
アクティブユーザとして楽曲を選択した場合、この楽曲確認画面にて、予約を行う楽曲に間違いがないか、楽曲名、歌手名、歌い出しなどを表示してユーザに確認させる。楽曲確認画面にて歌唱する楽曲を決定したユーザは、予約ボタン１０４を操作して楽曲を予約する。予約ボタン１０４が操作された場合、リモコン装置１からカラオケ装置２に予約情報が送信される。予約情報には、再生する楽曲を示す楽曲識別情報の他、アクティブユーザによる予約の場合にはユーザＩＤ（ユーザ識別情報）が含まれる。カラオケ装置２は、リモコン装置１などから予約情報を受信した場合、受信した予約情報を、カラオケ装置２のメモリ２７に記憶管理する予約テーブルに登録し、予約テーブルに基づいて楽曲再生処理を実行する。
【００４１】
図６には、本実施形態の楽曲再生処理を示すフロー図が示されている。楽曲再生処理が開始されると、カラオケ装置２内のメモリ２７に記憶している予約テーブルを参照し、次に再生させる楽曲の有無が判定される（Ｓ２０１）。予約テーブル中、次に再生させる楽曲がある場合（Ｓ２０２：Ｙｅｓ）には、当該楽曲の再生を開始する（Ｓ２０３）。楽曲の再生は、楽曲情報中の演奏情報を音響制御部２５に再生させる楽曲演奏処理と、楽曲情報中の歌詞情報を再生する歌詞再生処理と、を同期して実行する。
【００４２】
楽曲情報の再生を行っている期間中、カラオケ装置２は機械評価処理（Ｓ２０４）を実行する。この機械評価処理は、マイクロホン４４ａ、４４ｂから入力される歌唱音声情報から音程を抽出し、楽曲情報に含まれる歌唱旋律と比較することで、歌唱評価を行う処理であり、本実施形態では、後に説明するユーザによる歌唱評価と分別するため機械評価処理と名称を付している。機械評価処理（Ｓ２０４）では、その評価結果として機械評価情報（楽曲情報の歌唱旋律と、ユーザの歌唱音声から抽出した音程との比較した評価値）を算出する。通常、カラオケ装置２では、楽曲再生終了後に評価結果を表示するが、本実施形態では、ユーザの入力による歌唱評価の妨げとならないよう、楽曲再生終了時には評価結果を表示しないこととしている。楽曲の再生が終了した場合（Ｓ２０５：Ｙｅｓ）、楽曲再生処理の先頭に戻り、次の楽曲再生に備える。
【００４３】
本実施形態では、２通りの歌唱評価、すなわち、楽曲再生処理中に実行する機械評価処理（Ｓ２０４）と、ユーザが歌唱評価を入力する評価入力処理を実行する。評価入力処理は、各ユーザがリモコン装置１を使用して、楽曲終了後、適宜タイミングで行うことが可能である。本実施形態では、リモコン装置１におけるアクティブユーザが、他のユーザの歌唱について歌唱評価を入力することが可能となっている。
【００４４】
図７には、本実施形態の評価入力処理を示すフロー図が示されている。リモコン装置１のメニュー画面において、他のユーザの歌唱を評価する評価入力を選択した場合（Ｓ３０１：Ｙｅｓ）、リモコン装置１は、評価対象となる楽曲を選択する評価楽曲選択画面をタッチパネルモニタ１１に表示する（Ｓ３０２）。図９には、本実施形態の評価楽曲選択画面が示されている。評価楽曲選択画面は、アクティブユーザ（図９の例ではＢさん）がログインした後に、カラオケ装置２で再生された楽曲を選択することが可能な画面であり、アクティブユーザが聴取したと推定され、まだ評価を行っていない楽曲に関する情報が表示される。本実施形態では、評価楽曲関連情報１０５として、評価対象となる楽曲の楽曲・歌手名１０５ａ、歌唱したユーザのユーザ名を示すユーザ関連情報１０５ｂ、再生されたタイミング（本実施形態では、現在の時刻から何分前に再生されたか）を示す歌唱時間１０５ｃが評価対象となる各楽曲について表示される。
【００４５】
評価対象となる各楽曲の右側には、キャンセルボタン１０６と、評価ボタン１０７が表示される。ユーザは歌唱評価を行う楽曲を選択する場合、楽曲に対応する評価ボタン１０７を操作する。また、ユーザの中には歌唱評価を行いたくない場合がある。その場合には、ユーザは、楽曲に対応するキャンセルボタン１０６を操作することで、歌唱評価を辞退することが可能である。評価もしくはキャンセルされた楽曲は、次回、この評価楽曲選択画面には表示されない。なお、歌唱時間が古くなった楽曲は、ユーザが適正に評価することが困難となることが考えられる。したがって、再生終了後から一定時間経過した楽曲は、この評価楽曲選択画面に表示しない、すなわち、キャンセルされた楽曲と同じ扱いとしてもよい。
【００４６】
この評価楽曲選択画面においてキャンセルボタン１０６が操作された場合（Ｓ３０２：Ｙｅｓ）、キャンセルの対象となった楽曲を消去（Ｓ３０４）して、評価楽曲選択画面を再表示する（Ｓ３０２）。一方、評価楽曲選択画面において評価対象とする楽曲を選択した場合（Ｓ３０５：Ｙｅｓ）、リモコン装置１は、タッチパネルモニタ１１に評価入力画面を表示する（Ｓ３０６）。図１０には、本実施形態の評価入力画面が示されている。評価入力画面は、評価楽曲選択画面で選択した楽曲について、ユーザの主観に基づく歌唱評価を行うための画面である。評価入力画面には、評価対象とする楽曲について各種楽曲関連情報が表示されている。本実施形態では、楽曲・歌手名１０５ａ、ユーザ関連情報１０５ｂが表示される。ユーザ関連情報１０５ｂには、ユーザ名及び分身像（アバター）が表示されている。
【００４７】
この評価入力画面において、ユーザ（この場合、アクティブユーザであるＢさん）は、入力評価情報としての評価得点を入力することが可能である。評価得点は、評価対象となる楽曲の歌唱（この場合、Ａさんの歌唱）に対して行われるユーザ（この場合、Ｂさん）の主観的な評価である。ユーザは、評価入力ボタン１１０を操作することで、入力評価表示欄１０９に表示された評価得点を増加、減少させ、自己の評価した評価得点を決定する。本実施形態の評価得点は、０点から１００点の範囲において１点刻みで入力することが可能である。なお、評価対象となる楽曲について、機械評価処理（Ｓ２０４）で算出された機械評価情報は、この評価入力画面では表示しないこととしている。評価得点を入力する前に、評価を行うユーザ（この場合、Ｂさん）が機械評価情報を知った場合には、入力する評価得点に影響を及ぼすことがあるためである。このように本実施形態では、評価入力画面、あるいは、楽曲再生の終了後に機械評価情報を表示しないことで、ユーザの主観で評価得点を入力させることが可能となっている。
【００４８】
評価得点の入力を終えたユーザは、決定ボタン１１２を操作する（Ｓ３０８：入力）。一方、この評価入力画面には、キャンセルボタン１１１が設けられており、このキャンセルボタン１１１を操作することで、対象としている楽曲について評価を取りやめることが可能となっている。キャンセルボタン１１１を操作した場合（Ｓ３０８：キャンセル）には、キャンセルの対象となった楽曲を消去（Ｓ３０４）して、図９の評価楽曲選択画面を再表示する（Ｓ３０２）。
【００４９】
ところで、ユーザが自己の主観を頼りに歌唱評価を行う場合、通常の歌唱評価とはかけ離れた評価を行う場合がある。これは、入力間違いによる場合、あるいは、歌唱評価の感性の違いなど様々な要素を原因とすることで発生する。本実施形態では、入力評価情報（評価得点）の入力初回時、入力された入力評価情報と一般的な歌唱評価（本実施形態では、機械評価情報を使用）と比較して、その差が閾値以上であれば、ユーザに対してメッセージを表示し、再入力を促すこととしている。そのため、リモコン装置１は、無線ＬＡＮ通信部１６（本発明における「通信手段」）を介してカラオケ装置２に、評価対象とする楽曲の再生時に算出された機械評価情報を問い合わせ、カラオケ装置２から当該機械評価情報を受信する（Ｓ３０９）。そして、初回に入力された入力評価情報（評価得点）と、受信した機械評価情報との比較を行う（Ｓ３１０）。
【００５０】
図１３には、入力評価情報と機械評価情報の得点差と表示メッセージの関係を示すメッセージテーブルが示されている。本実施形態では、入力評価情報と機械評価情報の得点差が閾値（±４０以上）の場合（Ｓ３１１：Ｙｅｓ）、評価再入力画面を表示し、再入力を促す再入力指示メッセージを表示する（Ｓ３１２）。図１１には、本実施形態の評価再入力画面が示されている。評価再入力画面には、楽曲関連情報として、楽曲・歌手名１０５ａ、ユーザ関連情報１０５ｂの他、決定した評価得点を表示する入力評価表示欄１０９が表示されている。また、再入力を促す表示メッセージ１１５として、図１３のメッセージテーブル中の再入力指示メッセージ（具体的には、「本当にこの得点でいいですか？再入力しませんか。」と表記されたメッセージ）が表示される。ユーザは、再入力を行う場合には、再入力ボタン１１３を操作することで、図１０の評価入力画面に戻り、評価入力ボタン１１０を操作して入力評価情報（評価得点）を再入力する。一方、評価再入力画面に表示されている入力評価情報（評価得点）でよい場合には、決定ボタン１１２を操作する。
【００５１】
初回入力、もしくは、再入力することで決定された入力評価情報は、カラオケ装置２に送信される（Ｓ３１３）。カラオケ装置２は、評価対象となったユーザのユーザ情報中の履歴テーブル中、対応する楽曲の評価情報に入力評価情報を記憶する。その後、リモコン装置１では、評価完了画面を表示する（Ｓ３１４）。図１２には、本実施形態の評価完了画面が示されている。本実施形態の評価完了画面には、評価対象となった楽曲の楽曲関連情報として、楽曲・歌手名１０５ａ、ユーザ関連情報１０５ｂが表示されている。また、入力評価情報を表示する入力評価表示欄１０９と、機械評価情報を表示する機械評価表示欄１１４が設けられている。このように本実施形態では、入力評価情報を確定することで、ユーザ（この場合、Ｂさん）は、機械評価情報を参照し、自分が入力した入力評価情報と機械評価情報がどのように異なっているかを確認することが可能である。
【００５２】
また、評価完了画面には、機械評価情報と入力評価情報の差に基づく表示メッセージ１１５を表示している。図１２の例では、機械評価情報（８７点）に対する入力評価情報（７３点）の差Ｘ（−１４点）に基づき、図１３のメッセージテーブル上の「メッセージＦ」（具体的には「あなたの評価は、少し厳しいですね。」）が表示メッセージ１１５として表示される。このように本実施形態では、入力評価情報と他の歌唱評価（本実施形態では、機械評価情報）を対比して、表示メッセージ１１５を表示することで、自己の歌唱評価がどのような評価であるかを確認することが可能である。評価完了画面において、機械評価情報、入力評価情報、表示メッセージ１１５を確認したユーザは、終了ボタン１１６を操作することで、評価完了画面を閉じ、一連の評価入力処理を終了する。
【００５３】
このように歌唱を聴取したユーザによって入力された入力評価情報は、歌唱したユーザによって確認することが可能である。本実施形態では、リモコン装置１を使用して、自己が歌唱した楽曲を選択することで、各楽曲に対する歌唱評価を確認することが可能となっている。図８には、本実施形態の楽曲確認処理を示すフロー図が示されている。リモコン装置１におけるアクティブユーザは、メニュー画面において、評価確認指定を行った場合（Ｓ４０１：Ｙｅｓ）、リモコン装置１は、カラオケ装置２に記憶するユーザ情報中の履歴テーブルを参照し、これまでに歌唱した楽曲を選択することのできる評価完了楽曲選択画面を表示する（Ｓ４０２）。
【００５４】
図１４には、本実施形態の評価完了楽曲選択画面が示されている。この評価完了楽曲選択画面には、ユーザ（この場合、Ａさん）が、歌唱した楽曲の楽曲関連情報として、楽曲・歌手名１０５ａ、歌唱時間１０５ｃ、ユーザ関連情報１０５ｂが表示されている。ユーザ関連情報１０５ｂは、ユーザ（この場合、Ａさん）が楽曲を歌唱したときに、同時にログインしていたユーザである。ユーザ名を示すアルファベット上、丸印が付されたユーザは、入力評価情報の入力を終えたユーザであり、×印が付されたユーザは、入力評価情報の入力をキャンセルしたユーザである。また、丸印、×印が付されていないユーザは、入力評価情報の入力、キャンセルを行っていないユーザである。本実施形態では、歌唱評価を行うことのできる全てのユーザが、入力評価情報の入力、もしくは、キャンセルを行った楽曲について、歌唱評価を確認することが可能となっている。歌唱したユーザは、表示されたユーザ関連情報１０５ｂを確認し、まだ歌唱評価を行っていないユーザに、歌唱評価を催促することも可能である。歌唱評価が可能な楽曲については確認ボタン１２２が表示される。一方、まだ未入力の歌唱評価がある楽曲については、入力待ち表示１２１が表示される。
【００５５】
確認ボタン１２２を操作することで、歌唱評価を確認したい楽曲を選択した場合（Ｓ４０３：Ｙｅｓ）には、リモコン装置１は、対象となるユーザ（この場合、Ａさん）の履歴テーブルから評価情報を受信して、評価完了楽曲確認画面を表示する（Ｓ４０４）。図１５には、本実施形態の評価完了楽曲確認画面が示されている。この評価完了楽曲確認画面には、評価完了楽曲選択画面で選択した楽曲の楽曲関連情報として、楽曲・歌手名１０５ａ、歌唱日時を示す歌唱時間１０５ｃが表示されている。また、機械評価情報を表示する機械評価表示欄１２５、各ユーザの入力評価情報を表示する全入力評価表示欄１２６が表示される。この全入力評価表示欄１２６中、歌唱評価をキャンセルしたユーザの欄には、入力評価情報に代え、「キャンセル」の文字が表記される。さらに、本実施形態では、機械評価情報と、入力評価情報に基づいて算出された総合評価情報（総合得点）が総合評価表示欄１２４に表示される。ユーザは、この評価完了楽曲確認画面において、自己の歌唱に関する各種評価を確認することが可能である。評価完了楽曲確認画面では、終了ボタン１２７を操作すること（Ｓ４０５：Ｙｅｓ）で、評価完了楽曲確認画面を閉じ、一連の評価確認処理を終了する。
【００５６】
以上、本実施形態の歌唱評価装置では、カラオケ装置で再生された楽曲の歌唱について、入力評価情報を入力させ、当該入力評価情報と、当該楽曲の歌唱に対応する他の評価情報（本実施形態では、機械評価情報）の比較結果に基づき、メッセージ（例えば、図１１の評価再入力画面において再入力を促す表示メッセージ１１５や、図１２の評価完了画面において入力評価情報に対する評価を表示する表示メッセージ１１５）を通知することで、歌唱評価を行うユーザが、主観的に行った歌唱評価について、他の歌唱評価との関係を把握することが可能である。
【００５７】
本実施形態では、歌唱評価装置として、カラオケシステム中のリモコン装置１を使用して説明したが、歌唱評価装置としては、カラオケシステム中のカラオケ装置２を使用することも可能である。また、ユーザが所持するスマートフォンなどの情報処理装置を歌唱評価装置として使用することとしてもよい。その際、情報処理装置を歌唱評価装置として実現するための歌唱評価用プログラムについても本発明の範疇に属するものである。
【００５８】
また、本実施形態では、他の評価情報として、カラオケ装置２で算出された機械評価情報を使用しているが、他の評価情報としては、他のユーザが入力した入力評価情報を使用することも可能である。その場合、他のユーザの歌唱評価に対する自己の歌唱評価の関係を把握することが可能である。さらに、他の評価情報としては、機械評価情報、及び、他のユーザが入力した入力評価情報を使用することとしてもよい。
【００５９】
また、本実施形態では、入力評価情報として、評価得点のような評価値を使用することとしているが、入力評価情報は、予め定められた評価コメントを選択する形態を採用してもよい。その場合、評価コメントに対応する評価値を設けておくことで、評価コメントを評価値に換算して比較を行うことが可能である。さらに、機械評価処理を行なう歌唱評価の種類と入力評価情報は、実施例に用いた音程の評価以外にも、複数の項目に分かれた形態を採用してもよい。例えば、歌唱評価では、音程、リズム、歌唱技術などのように複数項目毎に歌唱評価が行われる場合がある。各項目について比較することで、項目毎のメッセージを通知することも可能である。
【符号の説明】
【００６０】
１（１ａ、１ｂ）：リモコン装置             ４２：スピーカ
２：カラオケ装置                           ４４ａ、４４ｂ：マイクロホン
５：ホスト装置                             ５１：記憶部
１１：タッチパネルモニタ                   ６１：アクセスポイント
１１ａ：表示部                             １０１：ユーザ切り替えスイッチ
１１ｂ：タッチパネル                       １０２：ゲストアイコン
１２：ビデオＲＡＭ                         １０４：予約ボタン
１３：映像制御部                           １０５：評価楽曲関連情報
１４：メモリ                               １０５ａ：歌手名
１５：ＣＰＵ                               １０５ｂ：ユーザ関連情報
１６：無線ＬＡＮ通信部                     １０５ｃ：歌唱時間
１７：操作部                               １０６：キャンセルボタン
１８：操作処理部                           １０７：評価ボタン
２１：操作部                               １０９：入力評価表示欄
２２：操作処理部                           １１０：評価入力ボタン
２４：ＬＡＮ通信部                         １１１：キャンセルボタン
２５：音響制御部                           １１２：決定ボタン
２７：メモリ                               １１３：再入力ボタン
２８：ビデオＲＡＭ                         １１４：機械評価表示欄
２９：映像再生部                           １１５：表示メッセージ
３０：ＣＰＵ                               １１６：終了ボタン
３１：映像制御部                           １２１：表示
３２：ハードディスク                       １２２：確認ボタン
３３：タッチパネルモニタ                   １２４：総合評価表示欄
３４：タッチパネル                         １２５：機械評価表示欄
３５：表示部                               １２６：全入力評価表示欄
４１：モニタ                               １２７：終了ボタン
【図１】
2016157010.tif 000003
【図２】
2016157010.tif 000004
【図３】
2016157010.tif 000005
【図４】
2016157010.tif 000006
【図５】
2016157010.tif 000007
【図６】
2016157010.tif 000008
【図７】
2016157010.tif 000009
【図８】
2016157010.tif 000010
【図９】
2016157010.tif 000011
【図１０】
2016157010.tif 000012
【図１１】
2016157010.tif 000013
【図１２】
2016157010.tif 000014
【図１３】
2016157010.tif 000015
【図１４】
2016157010.tif 000016
【図１５】
2016157010.tif 000017